(57)【要約】【課題】      ショップに陳列してあるブックの盗難を防止すると共に、ショップでの立ち読みをなくするようにする。【解決手段】  ブックＢの綴じ込み紙１及び表裏紙２、３側の少なくとも片方を貫通させる筒状の保持部材Ａと、この保持部材の上記ブックにより被われない露出表面に設けてある案内部材Ｃにより案内される備え部材Ｄと、この備え部材に設けて上記ブックの背表紙４の表面に位置するブックの脱出阻止ストッパ１７と、上記保持部材側から上記備え部材の離脱を防止するように設けた錠装置Ｅと、上記保持部材側又は備え部材のいずれか片方に設けた盗難防止タグとからなる構成を採用する。【選択図】    図１
2006323428.tif 000002
【特許請求の範囲】
【請求項１】
筒状の保持部材にブックの表裏紙側の少なくとも片方を除いて貫通させたのち、上記保持部材の露出表面の案内部材により案内させて備え部材を装備すると共に、この備え部材のストッパを上記ブックの背表紙の表面側に位置させ、上記保持部材側から上記備え部材が離脱しないように錠装置によりロックして、陳列時の上記保持部材に対するブックの抜き取りを上記ストッパにより阻止し、ショップからの持ち出しを上記保持部材側又は備え部材のいずれか片方に設けた盗難防止タグにより検出するようにしたことを特徴とする陳列ブックの盗難防止方法。
【請求項２】
ブックの綴じ込み紙及び表裏紙側の少なくとも片方を貫通させる筒状の保持部材と、この保持部材の上記ブックにより被われない露出表面に設けてある案内部材により案内される備え部材と、この備え部材に設けて上記ブックの背表紙の表面に位置するブックの脱出阻止ストッパと、上記保持部材側から上記備え部材の離脱を防止するように設けた錠装置と、上記保持部材側又は備え部材のいずれか片方に設けた盗難防止タグとからなる陳列ブックの盗難防止装置。
【請求項３】
ブックの綴じ込み紙間で、かつブックの背表紙に沿って介在部材を介在しながら、この介在部材の末端に設けてある抜け止め部を上記ブックに当接し、また上記介在部材の上記ブックから突出する先端の突出部にストッパ部材を錠装置を介し取付けると共に、取付け状況下に上記抜止め部或いはストッパ部材の少なくとも片方のストッパを上記ブックの背表紙の表面側に位置させて、陳列時の介在部材に対するブックの抜き取りを、上記抜止め部、ストッパ部材及びストッパにより阻止すると共に、ショップからの持ち出しを、上記介在部材側又はストッパ部材のいずれか片方に設けた盗難防止タグにより検出するようにしたことを特徴とする陳列ブックの盗難防止方法。
【請求項４】
ブックの綴じ込み紙間で、かつブックの背表紙に沿って介在する介在部材と、この介在部材の末端に設けた抜け止め部と、上記介在部材の上記ブックから突出する先端突出部に錠装置を介し取付けるストッパ部材と、このストッパ部材或いは上記抜け止め部の少なくとも片方に上記ブックの背表紙の表面に位置するように設けたストッパと、上記介在部材側又はストッパ部材のいずれか片方に設けた盗難防止タグとからなる陳列ブックの盗難防止装置。
【請求項５】
ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記介在部材側或いは備え部材のいずれか片方に設けた盗難防止タグとからなる陳列ブックの盗難防止装置。
【請求項６】
周囲の一面の開口からケース内にブックの表裏紙側の少なくとも片方を除いて挿入したのち、上記ケースの露出表面の案内部材により案内させて備え部材を装備すると共に、この備え部材のストッパを上記ブックの背表紙の表面側に位置させ、上記ケース側から上記備え部材が離脱しないように錠装置によりロックして、陳列時の上記ケースに対するブックの抜き取りを上記ストッパにより阻止し、ショップからの持ち出しを上記ケース側或いは備え部材のいずれか片方に設けた盗難防止タグにより検出するようにしたことを特徴とする陳列ブックの盗難防止方法。
【請求項７】
周囲の一面の開口からブックの綴じ込み紙のみ或いは表裏紙側の片方を挿入するケースと、このケースの上記ブックにより被われない露出表面に設けてある案内部材により案内される備え部材と、この備え部材に設けて上記ブックの背表紙の表面に位置するブックの脱出阻止ストッパと、上記ケース側から上記備え部材の離脱を防止するように設けた錠装置と、上記ケース側又は備え部材のいずれか片方に設けた盗難防止タグとからなる陳列ブックの盗難防止装置。
【請求項８】
前記保持部材の案内部材側や、前記案内部材に対向する側の内面の少なくとも片方から突出するブックの移動止め突出片を前記ブックの綴じ込み紙間に存在させたことを特徴とする請求項１に記載の陳列ブックの盗難防止方法。
【請求項９】
前記保持部材の案内部材側や前記案内部材に対向する側の内面の少なくとも片方にブックの綴じ込み紙間に食い込む突出片を設けた事を特徴とする請求項２に記載の陳列ブックの盗難防止装置。
【請求項１０】
前記介在部材の抜止め部やストッパ部材の少なくとも片方の両側にブックの抱き込み片を設けたことを特徴とする請求項４に記載の陳列ブック盗難防止装置。
【請求項１１】
前記介在部材の抜止め部、案内部材、備え部材のいずれかの両側にブックの抱き込み片を設けたことを特徴とする請求項５に記載の陳列ブックの盗難防止装置。
【請求項１２】
筒状の保持部材にブックを貫通させると共に、この貫通するブックの綴じ込み紙間に上記保持部材の内面から突出する突出片を食い込ませ、次いで上記保持部材の表面の案内部材により案内させて備え部材を装備すると共に、この備え部材のストッパを上記ブックの背表紙の表面側に位置させ、上記保持部材から上記備え部材が離脱しないように錠装置によりロックして、陳列時の上記保持部材に対するブックの抜き取りを上記ストッパ及び突出片により阻止し、ショップからの持ち出しを上記保持部材側或いは備え部材のいずれか片方に設けた盗難防止タグにより検出するようにしたことを特徴とする陳列ブックの盗難防止方法。
【請求項１３】
ブックを貫通させる筒状の保持部材と、この保持部の表面に設けてある案内部材により案内される備え部材と、この備え部材に設けてブックの背表紙の表面側に位置するストッパと、上記保持部材側から備え部材の離脱を防止するように設けた錠装置と、上記保持部材の内面から突出させて上記ブックの綴じ込み紙間に食い込ませるように設けた突出片と、上記保持部材側又は備え部材のいずれか片方に設けた盗難防止タグとからなる陳列ブックの盗難防止装置。
【請求項１４】
筒状の保持部材にブックの表裏紙側の少なくとも片方を除いて貫通させたのち、上記保持部材の露出表面の案内部材により案内させて備え部材を装備すると共に、この備え部材のストッパを上記ブックの背表紙の表面側に位置させ、上記保持部材側から上記備え部材が離脱しないように錠装置によりロックして、陳列時の上記保持部材に対するブックの抜き取りを上記ストッパにより阻止するようにしたことを特徴とする陳列ブックの立ち読み防止方法。
【請求項１５】
ブックの綴じ込み紙及び表裏紙側の少なくとも片方を貫通させる筒状の保持部材と、この保持部材の上記ブックにより被われない露出表面に設けてある案内部材により案内される備え部材と、この備え部材に設けて上記ブックの背表紙の表面に位置するブックの脱出阻止ストッパと、上記保持部材側から上記備え部材の離脱を防止するように設けた錠装置とからなる陳列ブックの立ち読み防止装置。
【請求項１６】
ブックの綴じ込み紙間で、かつブックの背表紙に沿って介在部材を介在しながら、この介在部材の末端に設けてある抜け止め部を上記ブックに当接し、また上記介在部材の上記ブックから突出する先端の突出部にストッパ部材を錠装置を介し取付けると共に、取付け状況下に上記抜止め部或いはストッパ部材の少なくとも片方のストッパを上記ブックの背表紙の表面側に位置させて、陳列時の介在部材に対するブックの抜き取りを、上記抜止め部、ストッパ部材及びストッパにより阻止すると共に、上記抜止め部やストッパ部材の少なくとも片方の両側に設けてある抱き込み片により上記ブックを抱き込んでブックの捲りを阻止するようにしたことを特徴とする陳列ブックの立ち読み防止方法。
【請求項１７】
ブックの綴じ込み紙間で、かつブックの背表紙に沿って介在する介在部材と、この介在部材の末端に設けた抜け止め部と、上記介在部材の上記ブックから突出する先端突出部に錠装置を介し取付けるストッパ部材と、このストッパ部材或いは上記抜け止め部の少なくとも片方に上記ブックの背表紙の表面に位置するように設けたストッパと、上記抜止め部やストッパ部材の少なくとも片方の両側に設けたブックの捲り防止の抱き込み片とからなる陳列ブックの立ち読み防止装置。
【請求項１８】
ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記抜止め部や備え部材の少なくとも片方の両側に設けたブックの抱き込み片とからなる陳列ブックの立ち読み防止装置。
【請求項１９】
周囲の一面の開口からケース内にブックの表裏紙側の少なくとも片方を除いて挿入したのち、上記ケースの露出表面の案内部材により案内させて備え部材を装備すると共に、この備え部材のストッパを上記ブックの背表紙の表面側に位置させ、上記ケース側から上記備え部材が離脱しないように錠装置によりロックして、陳列時の上記ケースに対するブックの抜き取りを上記ストッパにより阻止するようにしたことを特徴とする陳列ブックの立ち読み防止方法。
【請求項２０】
周囲の一面の開口からブックの綴じ込み紙のみ或いは表裏紙側の片方を挿入するケースと、このケースの上記ブックにより被われない露出表面に設けてある案内部材により案内される備え部材と、この備え部材に設けて上記ブックの背表紙の表面に位置するブックの脱出阻止ストッパと、上記ケース側から上記備え部材の離脱を防止するように設けた錠装置とからなる陳列ブックの立ち読み防止装置。
【請求項２１】
前記保持部材の案内部材側や、前記案内部材に対向する側の内面の少なくとも片方から突出するブックの移動止め突出片を前記ブックの綴じ込み紙間に存在させたことを特徴とする請求項１４に記載の陳列ブックの立ち読み防止方法。
【請求項２２】
前記保持部材の案内部材側や前記案内部材に対向する側の内面の少なくとも片方にブックの綴じ込み紙間に食い込む突出片を設けた事を特徴とする請求項１５に記載の陳列ブックの立ち読み防止装置。
【請求項２３】
筒状の保持部材にブックを貫通させると共に、この貫通するブックの綴じ込み紙間に上記保持部材の内面から突出する突出片を食い込ませ、次いで上記保持部材の表面の案内部材により案内させて備え部材を装備すると共に、この備え部材のストッパを上記ブックの背表紙の表面側に位置させ、上記保持部材から上記備え部材が離脱しないように錠装置によりロックして、陳列時の上記保持部材に対するブックの抜き取りを上記ストッパ及び突出片により阻止するようにしたことを特徴とする陳列ブックの立ち読み防止方法。
【請求項２４】
ブックを貫通させる筒状の保持部材と、この保持部の表面に設けてある案内部材により案内される備え部材と、この備え部材に設けてブックの背表紙の表面側に位置するストッパと、上記保持部材側から備え部材の離脱を防止するように設けた錠装置と、上記保持部材の内面から突出させて上記ブックの綴じ込み紙間に食い込ませるように設けた突出片とからなる陳列ブックの立ち読み防止装置。
【発明の詳細な説明】
【技術分野】
【０００１】
この発明は、ショップに陳列してあるブックの盗難や立ち読みを防止する方法及びその装置に関する。
【背景技術】
【０００２】
ブックは、ショップの棚に並べ、又は陳列台に積み重ねて陳列してある。
【０００３】
すると、顧客は、ページを捲って読むことができるので、立ち読みにともない購買欲が大幅に低下すると共に、ページが傷み或いは汚れなどの原因によって商品価値がなくなるなどの問題が発生した。
【０００４】
そこで、図３６に示すように包装材１０１としての透明な袋やフィルムによりブック１０２を包装することによって上述の問題を解消している。
【０００５】
しかしながら、顧客による包装ずみブックの持ち出しができるので盗難を防止することができない。
【０００６】
そこで盗難を防止するために、図３７に示すように包装材１０１による包装ずみブック１０２に盗難防止タグ１０３を具備したものがある。
【０００７】
上記の盗難防止タグ１０３は、包装前のブック１０２の綴じ込み紙間に差し込むシート１０４に取付けてあり、盗難防止タグ１０３は、周知のように、例えば固有のＩＤコードをもち、ショップの出入口を通過の際、出入口に設置してある電磁界の発生により共振回路が共振して固有のＩＤコードの発信にともない高周波電磁界を変調させて、ショップからの持ち出しを検出する。
【発明の開示】
【発明が解決しようとする課題】
【０００８】
しかしながら、立ち読みを防止するためにブックを１冊毎包装するので、著しく手数がかかると共に、大幅な出費になる問題があった。
【０００９】
また、包装材１０１が透明なため、シート１０４の端末（図示当接片１０５）が透視できるので、少なくとも当接片１０５の部分の包装材１０１を被ってシート１０４を抜き取り、抜き取ったシート１０４を捨てることでブック１０２の無断な持ち出しができる問題が発生する。
【００１０】
なお、不透明な包装材を使用することでシートの存在を知られないようにすることができる。
【００１１】
しかしながら、不透明な包装材によってブックの表題などが分からなくなるため、不透明な包装材による包装がない。  
【００１２】
そこで、この発明は、上述の問題を解消することにある。
【課題を解決するための手段】
【００１３】
上記の課題を解決するために、この発明は、筒状の保持部材にブックの表裏紙側の少なくとも片方を除いて貫通させたのち、上記保持部材の露出表面の案内部材により案内させて備え部材を装備すると共に、この備え部材のストッパを上記ブックの背表紙の表面側に位置させ、上記保持部材側から上記備え部材が離脱しないように錠装置によりロックして、陳列時の上記保持部材に対するブックの抜き取りを上記ストッパにより阻止し、ショップからの持ち出しを上記保持部材側又は備え部材のいずれか片方に設けた盗難防止タグにより検出するようにしたことを特徴とする陳列ブックの盗難防止方法やブックの綴じ込み紙及び表裏紙側の少なくとも片方を貫通させる筒状の保持部材と、この保持部材の上記ブックにより被われない露出表面に設けてある案内部材により案内される備え部材と、この備え部材に設けて上記ブックの背表紙の表面に位置するブックの脱出阻止ストッパと、上記保持部材側から上記備え部材の離脱を防止するように設けた錠装置と、上記保持部材側又は備え部材のいずれか片方に設けた盗難防止タグとからなる陳列ブックの盗難防止装置を採用する。
【００１４】
すると、陳列状況下の保持部材に対するブックの抜き取りを、ストッパや、ブックの保持部材内の綴り込み紙と表側に露出した少なくとも片方の表裏紙側とによる挟み込み保持部材により阻止し、またショップ外への無断な持ち出しを盗難防止タグによって検出する。
【００１５】
また、ブックの綴じ込み紙間で、かつブックの背表紙に沿って介在部材を介在しながら、この介在部材の末端に設けてある抜け止め部を上記ブックに当接し、また上記介在部材の上記ブックから突出する先端の突出部にストッパ部材を錠装置を介し取付けると共に、取付け状況下に上記抜止め部或いはストッパ部材の少なくとも片方のストッパを上記ブックの背表紙の表面側に位置させて、陳列時の介在部材に対するブックの抜き取りを、上記抜止め部、ストッパ部材及びストッパにより阻止すると共に、ショップからの持ち出しを、上記介在部材側又はストッパ部材のいずれか片方に設けた盗難防止タグにより検出するようにしたことを特徴とする陳列ブックの盗難防止方法やブックの綴じ込み紙間で、かつブックの背表紙に沿って介在する介在部材と、この介在部材の末端に設けた抜け止め部と、上記介在部材の上記ブックから突出する先端突出部に錠装置を介し取付けるストッパ部材と、このストッパ部材或いは上記抜け止め部の少なくとも片方に上記ブックの背表紙の表面に位置するように設けたストッパと、上記介在部材側又はストッパ部材のいずれか片方に設けた盗難防止タグとからなる陳列ブックの盗難防止装置、又ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記介在部材側或いは備え部材のいずれか片方に設けた盗難防止タグとからなる陳列ブックの盗難防止装置を採用する。
【００１６】
すると、陳列状況下でのブックの抜き取りをストッパと綴り込み紙間の介在部材によって（介在部材の背表紙に沿う方向の抜き取りも、抜止め部とストッパ部材により阻止される）阻止し、またショップ外への無断な持ち出しを盗難防止タグによって検出する。
【００１７】
さらに、周囲の一面の開口からケース内にブックの表裏紙側の少なくとも片方を除いて挿入したのち、上記ケースの露出表面の案内部材により案内させて備え部材を装備すると共に、この備え部材のストッパを上記ブックの背表紙の表面側に位置させ、上記ケース側から上記備え部材が離脱しないように錠装置によりロックして、陳列時の上記ケースに対するブックの抜き取りを上記ストッパにより阻止し、ショップからの持ち出しを上記ケース側或いは備え部材のいずれか片方に設けた盗難防止タグにより検出するようにしたことを特徴とする陳列ブックの盗難防止方法や周囲の一面の開口からブックの綴じ込み紙及び表裏紙側の少なくとも片方を挿入するケースと、このケースの上記ブックにより被われない露出表面に設けてある案内部材により案内される備え部材と、この備え部材に設けて上記ブックの背表紙の表面に位置するブックの脱出阻止ストッパと、上記ケース側から上記備え部材の離脱を防止するように設けた錠装置と、上記ケース側又は備え部材のいずれか片方に設けた盗難防止タグとからなる陳列ブックの盗難防止装置を採用する。
【００１８】
すると、陳列状況下での抜き取りを、ストッパやケース内の綴じ込み紙とケース外の少なくとも片方の表裏紙側とによるケースの挟み込みによって阻止し、また無断なショップ外の持ち出しを盗難防止タグによって検出する。
【００１９】
また、保持部材の案内部材側や、前記案内部材に対向する側の内面の少なくとも片方から突出するブックの移動止め突出片を前記ブックの綴じ込み紙間に存在する。
【００２０】
すると、保持部材に対する一方向の脱出をストッパにより、又他方向の脱出を突出片により阻止してブックの抜き取りを防止する。
【００２１】
さらに、介在部材の抜止め部やストッパ部材の少なくとも片方の両側にブックの抱き込み片を設けた構成や介在部材の抜止め部、案内部材、備え部材のいずれかの両側にブックの抱き込み片を設けた構成によってブックを捲ることができない。
【００２２】
また、筒状の保持部材にブックを貫通させると共に、この貫通するブックの綴じ込み紙間に上記保持部材の内面から突出する突出片を食い込ませ、次いで上記保持部材の表面の案内部材により案内させて備え部材を装備すると共に、この備え部材のストッパを上記ブックの背表紙の表面側に位置させ、上記保持部材から上記備え部材が離脱しないように錠装置によりロックして、陳列時の上記保持部材に対するブックの抜き取りを上記ストッパ及び突出片により阻止し、ショップからの持ち出しを上記保持部材側或いは備え部材のいずれか片方に設けた盗難防止タグにより検出するようにしたことを特徴とする陳列ブックの盗難防止方法やブックを貫通させる筒状の保持部材と、この保持部の表面に設けてある案内部材により案内される備え部材と、この備え部材に設けてブックの背表紙の表面側に位置するストッパと、上記保持部材側から備え部材の離脱を防止するように設けた錠装置と、上記保持部材の内面から突出させて上記ブックの綴じ込み紙間に食い込ませるように設けた突出片と、上記保持部材側又は備え部材のいずれか片方に設けた盗難防止タグとからなる陳列ブックの盗難防止装置により保持部材にブックの全てを貫通（この貫通は、保持部材の両側間の内寸と同等の厚み或いは内寸よりも厚みの小さいブック）させると共に、保持部材に対するブックの抜き取りを、ストッパと突出片とで確実に阻止され、又ショップからの持ち出しを盗難防止タグにより検出する。
【００２３】
さらに、筒状の保持部材にブックの表裏紙側の少なくとも片方を除いて貫通させたのち、上記保持部材の露出表面の案内部材により案内させて備え部材を装備すると共に、この備え部材のストッパを上記ブックの背表紙の表面側に位置させ、上記保持部材側から上記備え部材が離脱しないように錠装置によりロックして、陳列時の上記保持部材に対するブックの抜き取りを上記ストッパにより阻止するようにした陳列ブックの立ち読み防止方法やブックの綴じ込み紙及び表裏紙側の少なくとも片方を貫通させる筒状の保持部材と、この保持部材の上記ブックにより被われない露出表面に設けてある案内部材により案内される備え部材と、この備え部材に設けて上記ブックの背表紙の表面に位置するブックの脱出阻止ストッパと、上記保持部材側から上記備え部材の離脱を防止するように設けた錠装置とからなる陳列ブックの立ち読み防止装置を採用する。
【００２４】
また、ブックの綴じ込み紙間で、かつブックの背表紙に沿って介在部材を介在しながら、この介在部材の末端に設けてある抜け止め部を上記ブックに当接し、また上記介在部材の上記ブックから突出する先端の突出部にストッパ部材を錠装置を介し取付けると共に、取付け状況下に上記抜止め部或いはストッパ部材の少なくとも片方のストッパを上記ブックの背表紙の表面側に位置させて、陳列時の介在部材に対するブックの抜き取りを、上記抜止め部、ストッパ部材及びストッパにより阻止すると共に、上記抜止め部やストッパ部材の少なくとも片方の両側に設けてある抱き込み片により上記ブックを抱き込んでブックの捲りを阻止するようにした陳列ブックの立ち読み防止方法やブックの綴じ込み紙間で、かつブックの背表紙に沿って介在する介在部材と、この介在部材の末端に設けた抜け止め部と、上記介在部材の上記ブックから突出する先端突出部に錠装置を介し取付けるストッパ部材と、このストッパ部材或いは上記抜け止め部の少なくとも片方に上記ブックの背表紙の表面に位置するように設けたストッパと、上記抜止め部やストッパ部材の少なくとも片方の両側に設けたブックの捲り防止の抱き込み片とからなる陳列ブックの立ち読み防止装置を採用する。
【００２５】
さらに、ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記抜止め部や備え部材の少なくとも片方の両側に設けたブックの抱き込み片とからなる陳列ブックの立ち読み防止装置を採用する。
【００２６】
また、周囲の一面の開口からケース内にブックの表裏紙側の少なくとも片方を除いて挿入したのち、上記ケースの露出表面の案内部材により案内させて備え部材を装備すると共に、この備え部材のストッパを上記ブックの背表紙の表面側に位置させ、上記ケース側から上記備え部材が離脱しないように錠装置によりロックして、陳列時の上記ケースに対するブックの抜き取りを上記ストッパにより阻止するようにした陳列ブックの立ち読み防止方法や、周囲の一面の開口からブックの綴じ込み紙のみ或いは表裏紙側の片方を挿入するケースと、このケースの上記ブックにより被われない露出表面に設けてある案内部材により案内される備え部材と、この備え部材に設けて上記ブックの背表紙の表面に位置するブックの脱出阻止ストッパと、上記ケース側から上記備え部材の離脱を防止するように設けた錠装置とからなる陳列ブックの立ち読み防止装置を採用する。
【００２７】
さらに、筒状の保持部材にブックを貫通させると共に、この貫通するブックの綴じ込み紙間に上記保持部材の内面から突出する突出片を食い込ませ、次いで上記保持部材の表面の案内部材により案内させて備え部材を装備すると共に、この備え部材のストッパを上記ブックの背表紙の表面側に位置させ、上記保持部材から上記備え部材が離脱しないように錠装置によりロックして、陳列時の上記保持部材に対するブックの抜き取りを上記ストッパ及び突出片により阻止するようにした陳列ブックの立ち読み防止方法やブックを貫通させる筒状の保持部材と、この保持部の表面に設けてある案内部材により案内される備え部材と、この備え部材に設けてブックの背表紙の表面側に位置するストッパと、上記保持部材側から備え部材の離脱を防止するように設けた錠装置と、上記保持部材の内面から突出させて上記ブックの綴じ込み紙間に食い込ませるように設けた突出片とからなる陳列ブックの立ち読み防止装置を採用する。
【００２８】
すると、陳列時のブックの綴じ込み紙の全部や殆どの綴じ込み紙及び表裏表紙の捲り阻止する。
【発明の効果】
【００２９】
以上のように、この発明の陳列ブックの盗難防止方法及びその装置によれば、陳列状況下での保持部材やケースに対するブックの抜き取りを、ブックの背表紙の表面に位置するストッパとブックの綴り込み紙と少なくとも片方の表裏紙側間に位置する保持部材やケースの側壁とによって阻止すると共に、ショップ外への持ち出しを盗難防止タグによって検出するようにしてあるので、ブックの盗難を防止し、又保持部材やケースにブックの綴じ込み紙や表裏紙の少なくとも片方を貫通或いは挿入するため、ブックの厚みに制約を受けることなく、すなわち、厚みが大きくなると、表裏紙の少なく片方に保持部材やケース外に綴じ込み紙を存在させることで、保持部材やケースに対しブックをセットすることができ、更に保持部材にあっては、表裏紙の少なくとも片方と綴じ込み紙とを貫通させてセットできるので、ブックの幅寸法に制約を受けないなどの多大な効果がある。
【００３０】
勿論、保持部材やケースの丈よりも小さい丈のブック（この小さい丈の意味は、保持部材やケース内でブックが傾いても倒れない丈のある）でも盗難防止に効果を発揮する。
【００３１】
そして、保持部材やケースによって全部の或いは略全部の綴じ込み紙を順次捲ることができないため、立ち読み防止に効果を発揮すると共に、立ち読みにともない発生したブックの汚れや傷みなどを防止して、商品価値がなくなるなどの不都合をなくすることもでき、又保持部材の内側に表裏紙の片方を貫通させることで、ブックカバーの脱落を防止することもできる。
【００３２】
勿論、保持部材に貫通させ或いはケースに挿入してある綴じ込み紙を捲ることができないための立ち読み防止にともない、読みたいという意欲のため購買欲を高める効果もある。すなわち、保持部材の外側に存在する一部の綴じ込み紙を捲ることによる次の（保持部材やケース内の）綴じ込み紙を読みたいという意欲にともなう。
【００３３】
また、ブックの綴じ込み紙間に介在させる介在部材を、ブックの背表紙の表面に位置するストッパと、介在部材の末端の抜止め部及び介在部材の先端突出部に錠装置を介し取付けたストッパ部材により、又案内部材によって案内されるストッパを有する備え部材を取付けると共に、錠装置により案内部材に対し備え部材をロックすることでブックからの介在部材の取り外しが阻止できてブックの盗難、すなわち、ショップ外への持ち出しを検出して盗難防止に効果を発揮する。
【００３４】
さらに、ブックの綴じ込み紙間に突出片を食い込ませて存在させるので、保持部材に対する抜き取りブックのスライドを、綴じ込み紙の綴じ込み部と突出片との当接によって阻止すると共に、保持部材の外側（側壁外）に存在させた表裏表紙を反転させて、表裏表紙の綴じ込み部分と側壁の縁との引っかかりを解消してブックの引き抜きを突出片によって防止することができる。
【００３５】
また、抱き込み片によってブックの全部や表裏表紙の少なくとも片方を残して抱き込むので、カバーの脱落防止やブックを捲ることができなくなって、立読み防止、ブックの傷みや汚れ防止以外に前述と同様の読みたいという意欲のために購買欲を高める効果もある。
【００３６】
さらに、保持部材にブックの全てを貫通させて陳列しても、ストッパと突出片とで保持部材に対するブックの抜き取りを阻止すると共に、ブックを捲ることができないために、立ち読み防止、傷みや汚れを防止する以外に購買力を高める効果もある。
【００３７】
さらに、販売などに際しショップ側による錠装置を解除してショップに備え部材と共に保持部材やケース、また介在部材と共にストッパ部材を回収することで、再使用が可能になる効果もある。
【００３８】
また、保持部材にブックの表裏紙の少なくとも片方を除いて貫通すると共に、貫通したブックの背表紙の表面に案内部材に錠装置を介し取付けた備え部材のストッパを位置させることで、保持部材に対するブックの抜き取りを阻止した陳列状況下での綴じ込み紙の捲り防止し、又ブックの綴じ込み紙間に介在した介在部材を、抜け止め部とストッパ部材や備え部材によって背表紙に沿う方向の脱出を防止すると共に、ストッパ部材や備え部材のストッパをブックの背面側に位置させて、介在部材に対する介在部材の離脱を防止し、かつ抱き込み片によってブックを抱き込むことで、陳列状況下でのブックの捲りを防止する。
【００３９】
このため、ブックの立ち読みを阻止すると共に、阻止にともない読みたいという意欲のため購買欲を高める効果を発揮すると共に、ブックの汚れや損傷を防止し、又保持部材や介在部材の回収後の再使用ができる。
【００４０】
さらに、周囲の一面の開口からケースにブックの綴じ込み紙のみ或いは表裏紙の片方を挿入すると共に、ケースに錠装置を介し取付けた備え部材のストッパをブックの背表紙の表面側に位置させて、ケースからのブックの抜き取りを阻止し、又保持部材にブックを貫通させると共に、保持部材に錠装置を介し取り付けた備え部材のストッパをブックの背表紙の表面を位置させ、かつ綴じ込み紙間に突出片を食い込ませて保持部材に対するブックの抜き取りを阻止するので、陳列状況下でのブックの捲りを防止する。
【００４１】
このため、ブックの立ち読みを阻止すると共に、阻止にともない読みたいという意欲のため購買欲を高める効果を発揮すると共に、ブックの汚れや損傷を防止し、又ケースや保持部材の回収後の再使用ができる。
【発明を実施するための最良の形態】
【００４２】
以下、この発明の実施の形態を添付図面に基づいて説明する。
【００４３】
この発明の第１の実施形態では、図１から図５に示すように、筒状の保持部材Ａには、ブックＢの綴じ込み紙１のみ、或いは綴じ込み紙１及び表表紙２、裏表紙３の片方を除いて貫通させる。
【００４４】
上記の保持部材Ａは、図示の場合上下で対向する頂壁５及び底壁６と、左右で対向する側壁７、７とで筒状に例えば合成樹脂により成型され、頂壁５と底壁６との対向寸法は、ブックＢの丈よりも若干大きく（ブックＢのスムーズな挿入が可能なように）してあり、左右の側壁７の対向寸法は、ブックＢの厚み（表表紙２と裏表紙３との間の寸法）よりも同等か或いは小さい。すなわち図２、３、４に示すように綴じ込み紙１のみ或いは綴じ込み紙１と表表紙２、裏表紙３の片方を側壁７間に貫通させる（図示省略）ようにしてある。
【００４５】
なお、片方の側壁７の中間の所要部分を欠落させて、保持部材Ａを成形する合成樹脂の材料を節約することもある。
【００４６】
そして、欠落部分を保持部材Ａの表側に露出させる表表紙２或いは裏表紙３で被うと違和感がない。
【００４７】
また、保持部材ＡのブックＢにより被われない表面に案内部材Ｃを設けて、この案内部材Ｃにより案内される備え部材Ｄを設けると共に、備え部材Ｄと保持部材Ａ側とには、案内部材Ｃから備え部材Ｄの離脱を阻止する錠装置Ｅが設けてある。
【００４８】
上記の案内部材Ｃは、図１、３、５に示すように、頂壁５の外側に両側壁７から連なって上方に突出し、かつ頂壁５に対向する角筒によって端面（図示の場合ブックＢの背表紙４側）が開放する挿入路１２を設けて形成し、この挿入路１２に備え部材Ｄとしての挿入材１３を挿入するようにしたが、限定されない。
【００４９】
上記の錠装置Ｅとしては、図１、２、３、５に示すように、例えば特願２００５−７８６５号のように挿入材１３に挿入路１２への挿入にともない押し戻されるように設けた係止爪１４と、挿入路１２に挿入部材１３の挿入終了にともない係止爪１４に合致すると共に、押し戻しの解除された係止爪１４が嵌り込んで係止関係になるように挿入路１２の表裏面が貫通する係止部としての貫孔１５とで構成したが、限定されない。
【００５０】
そして、係止爪１４及び貫孔１５も直列状に複数並べたが、限定されない。
【００５１】
なお、係止爪１４は、図示の場合合成樹脂による挿入材１３の成形の際、スリット１６を入れて設けたが、別部品を固定してもよい。
【００５２】
また、備え部材Ｄ（図示挿入部材１３）には、案内部材Ｃに備え部材Ｄをセットしたとき、ブックＢの背表紙４の表面側に位置して、保持部材Ａに対するブックＢの抜き取りを阻止するストッパ１７が設けてある。
【００５３】
上記のストッパ１７は、図示の場合、挿入材１３にピンヒンジ１８を介し（ピンヒンジ１８にかえてハーフカットのヒンジも可）起伏自在に設け、挿入材１３の挿入終了にともない挿入路１２にピンヒンジ１８が納まってストッパ１７の起立方向の揺動を阻止し、係止爪１４と貫孔１５との係止関係の解除状態下で挿入材１３を１ピッチ脱出方向にスライドさせることで挿入路１２からピンヒンジ１８が脱出して、ストッパ１７を起立方向に揺動させて、背表紙４に対するストッパ１７の衝突を回避するようにしたが、限定されず、挿入材１３をストッパ１７を一体的に設けてもよい。その際、挿入路１２から挿入材１３を抜き取るか、或いは、挿入材１３の脱出方向のスライド後に把持したストッパ１７側を引き上げて背表紙４に対するストッパ１７を衝突を回避するようにしてもよい。
【００５４】
なお、係止爪１４と貫孔１５との係止関係の解除方式としては、例えば、図７に示すように、解除具Ｇの上面凹入部２０に案内部材Ｃを上方から嵌め込んで、各貫孔１５に凹入部２０の底面の突起２１を押し込む。
【００５５】
すると、図７に示すように貫孔１５に貫通する突起２１により係止爪１４と貫孔１５との係止関係が解除され、この状況下で撮み２２を把持してスライダ２３を引き寄せると、図８に示すようにスライダ２３の突部２４がストッパ１７の突片２５に引っかかって、脱出方向に挿入材１３をスライドさせて、挿入路１２からピンヒンジ１８が脱出し、図６に示すような背表紙４に対するストッパ１７の衝突の回避ができる。
【００５６】
図中１９は、人手による係止爪１４の或る一定位置からの押し込みを阻止するストッパ部である。
【００５７】
また、上記の案内部材Ｃと備え部材Ｄとの挿入方式にかえて、例えば図９から図１１に示すように、頂壁５の表面に案内部材Ｃとしての筒状のガイド３１を設けて、このガイド３１の外側に備え部材Ｄとしての下面が開放するボックス３２を上方から嵌装すると共に、このボックス３２の端から下向きに背表紙４の表面に臨むストッパ１７を設け、上記ガイド３１とボックス３２とに錠装置Ｅとしての係止爪１４と貫孔１５を設けた構成を採用することもできる。
【００５８】
勿論、上記の錠装置Ｅの磁吸されない係止爪１４に例えば特願２００５−７８６５号の磁吸される係止爪を併設して、係止関係の解除に困難性をもたせることもできる。
【００５９】
そして、上記嵌め込み方式（ガイド３１とボックス３２とによる）の係止爪１４と貫孔１５との係止関係の解除も、図１１に示す解除具Ｇ′のハーフカットヒンジ４０を介して設けてある両側板４１をボックス３２の側面に外接するようにプッシュして、側板４４の突起４２を貫孔１５に貫入させて係止爪１４の押し戻しにより係止関係を解除する。
【００６０】
上記の錠装置Ｅも上述の方式に限定されず、例えば特許第２９２８４９０号や、実開平６−２８１３４号、実用新案登録第３０１４４９８号、特許第２７９４４０８号、特開２００２−１２５８１７号、特開２００１−８０６６６号、特開平１０−２５０７３９号、特開平１０−２１１９８１号、特開平９−２９０８５６号の構成を採用してもよい。
【００６１】
さらに、保持部材Ａも図１、３に示す一体成形の角筒に限定されず、図１２、１３に示すように、底壁６の両側縁にヒンジ５１（図示のハーフカットに限定されない）を介し両側壁７、７を設け、この両側壁７の上縁に挿入路１２を形成する案内部材Ｃとしての溝形のガイド壁５２を連成し、この両ガイド壁５２の突き合わせ両突出条５３、５３を断面Ｈ形の挿入部材１３の挿入によって抱き込んで両側壁７、７の閉鎖維持をはかるようにしてもよい。
【００６２】
また、保持部材Ａ側（案内部材Ｃを含む）又は備え部材Ｄのいずれか片方には、盗難防止タグＨが設けてある。
【００６３】
上記の盗難防止タグＨは、例えば周知のように、固有のＩＤコードをもち、ショップの出入口を通過の際、出入口に設置してある電磁界の発生により共振回路が共振して固有のＩＤコードの発信にともない高周波電磁界を変調させて、ショップからの持ち出しを検出するようになっている。
【００６４】
次に上記のような陳列ブックの盗難防止装置を用いたブックの陳列方法を説明する。
【００６５】
まず、保持部材ＡにブックＢの綴じ込み紙１のみ或いは綴じ込み紙１と表表紙２と裏表紙３とのいずれか片方を貫通させる。
【００６６】
すると、保持部材Ａの表面に図３、４に示すように表表紙２、裏表紙３の両方或いは片方が位置する。
【００６７】
次に、案内部材Ｃに備え部材ＤをセットしてブックＢの背表紙４の表面にストッパ１７を位置させると共に、錠装置Ｅのロックにより案内部材Ｃから備え部材Ｄが離脱しないようにしておく。
【００６８】
そして、ショップに陳列する。
【００６９】
陳列状況下でのブックＢの抜き取りは、保持部材Ａに対する一方向のスライド（抜き取り方向の）がストッパ１７により、他方向のスライドを保持部材Ａの背表紙４側の縁とブックＢの綴じ込み綴り部分との当接により阻止される。
【００７０】
また、ショップ外への無断な持ち出しも、盗難防止タグＨによって検出する。
【００７１】
ブックＢの販売（レンタル時にも）に際しては、ショップ側の解除具Ｇ、Ｇ′を用いて係止爪１４と貫孔１５との係止関係（図示の錠装置Ｅの場合）を解除して、案内部材Ｃに対し備え部材Ｄを取り外し、次いでブックＢから保持部材Ａを取り除き、ショップに備え部材Ｄ及び保持部材Ａを回収する。
【００７２】
そして、保持部材Ａに綴じ込み紙１を貫通させてあるので、綴じ込み紙１を捲ることができず、立ち読みを阻止する。
【００７３】
ブックＢの捲りは、保持部材Ａの両側外側に存在する少なくとも片方の表表紙２や裏表紙３と、その内側に存在させた場合の綴じ込み紙１のみで、保持部材Ａに貫通させてある綴じ込み紙１を捲ることができない。
【００７４】
すると、読みたいという意欲のため購買欲が高まる。
【００７５】
また、保持部材Ａの丈がブックＢの丈よりも大きい場合に間隙により発生する保持部材Ａ内でのブックＢの移動（傾動）による不都合を、図１４に示すように、保持部材Ａの頂壁５、底壁６少なくとも片方の裏面にスペーサ５５を介在して、不都合を解消する。
【００７６】
上記のスペーサ５５は、図示の場合、底壁６側に配置したが限定されない。
【００７７】
そして、スペーサ５５の保持部材Ａに対する移動を止める安定した配置として、例えば、底壁６の孔や透孔５６にスペーサ５５に設けた突部５７を押し込んで取付けるとよい。
【００７８】
すると、スペーサ５５が不要な際の回収がスムーズにできる。
【００７９】
なお、スペーサ５５は、厚みの異なるものを複数用意して、選択の上使用する。
【００８０】
保持部材Ａの内側に表裏紙の片方を貫通させることで、ブックカバーの脱落を防止することもできる。
【００８１】
また、ブックＢの丈（図５上下方向の高さ）は、保持部材Ａの丈よりも（図５の実線に示す略同等から鎖線に示す）低い場合がある。
【００８２】
その際、ストッパ１７の突出長さを長くしておく。
【００８３】
この発明の第２の実施形態では、図１５から図１７に示すように、ブックＢの綴じ込み紙１間で、かつ背表紙４に沿って介在する介在部材Ｊの末端には、抜止め部６１が設けてあり、また介在部材Ｊの先端には、ブックＢの背表紙４の表面側に位置するストッパ６２が設けてある。
【００８４】
上記の介在部材Ｊは、図示の場合、合成樹脂製の板材で、抜止め部６１は、介在部材Ｊの板材と一体に成形された片材で、ストッパ６２は、図示の場合抜止め部６１と一体にＬ形に成形したが、介在部材Ｊの板材の端から連なって設けてもよい。
【００８５】
なお、介在部材Ｊを形成する板材の背表紙４側の縁に面取り加工による角落ちテーパー部６３を設けておくと、綴じ込み紙１への差し込みがスムーズになって綴じ込み紙１の損傷を阻止する。
【００８６】
また、介在部材ＪのブックＢから突出する（綴じ込み紙１に介在部材Ｊを介在した際の）突出部６４にストッパ部材６５を取付けると共に、この取付け時に錠装置Ｅを介し突出部６４からストッパ部材６５が取り外せないようにしてある。
【００８７】
上記突出部６４に対するストッパ部材６５の取付けは、図示の場合ブロック状のストッパ部材６５の一面から内方に向く凹入部６６に突出部６４を嵌入して取付け、取付けにともなう取り外し防止の錠装置Ｅは、図示の場合、凹入部６６内に取付けピン６７を介し係止爪６８を揺動自在に取付けると共に、バネ６９を介し係止爪６８に復帰力を付与し、凹入部６６に突出部６４を嵌入すると、突出部６４によって係止爪６８を復帰力に抗して押し戻し、突出部６４の嵌入終了にともない突出部６４の孔や貫孔などの係止部７０と係止爪６８との合致にともないバネ６９による復帰力によって係止部７０に係止爪６８が自動的に係止関係になるように構成したが、限定されず、第１の実施形態の錠装置Ｅや記載の公知錠方式を採用してもよい。
【００８８】
要するに、突出部６４にストッパ部材６５を取付けることで、錠装置Ｅによって突出部６４に対しストッパ部材６５をショップ以外によって取り外しができないようになっている。
【００８９】
上記錠装置Ｅの解除は、磁石（図示省略）によって係止爪６８を磁吸して、係止部７０から係止爪６８が外れるようになっている。
【００９０】
なお、磁吸による解除のため、係止爪６８を磁吸材料（鉄製）で形成するか、磁吸されない係止爪６８に鉄片７１を取付けておく。
【００９１】
また、介在部材Ｊ側、例えば介在部材Ｊや抜止め部６１、ストッパ部材６５のいずれかには、盗難防止タグＨが設けてある。
【００９２】
上記の盗難防止タグＨは、第１の実施形態と同様につき説明を省略する。
【００９３】
当然、上記以外の錠装置Ｅを使用することもある。
【００９４】
次に、上記のような陳列ブックの盗難防止装置を用いたブックの陳列方法を説明する。
【００９５】
まず、ブックＢの綴じ込み紙１間に介在部材Ｊを介在したのち、突出部６４にストッパ部材６５を取付けると共に、錠装置Ｅによって突出部６４からストッパ部材６５が取り外せないようにしておく。
【００９６】
このとき、ブックＢの背表紙４の表面側にストッパ６２が位置する。
【００９７】
すると、ブックＢに対する背表紙４の反対方向に介在部材Ｊをスライドさせようとしても、背表紙４に当るストッパ６２により阻止され、また背表紙４の方向に介在部材Ｊをスライドさせようとしても、綴じ込み紙１の綴り部分と介在部材Ｊの背表紙４側の縁と接触により阻止され、さらに背表紙４に沿う方向の介在部材Ｊの抜き取りは、抜止め部６１とストッパ部材６５とによって阻止する。
【００９８】
このため、ブックＢに対する安定した取付けが保障されて、ショップ内での取り外しをなくすると共に、ショップからの持ち出しを盗難防止タグＨにより検出して、盗難防止に役立つ。
【００９９】
そして、ブックＢがフィルムで包装されている場合、図１６に示すように、突出部６４によりフィルムを突き破って綴じ込み紙１間に介在部材Ｊを介在する。
【０１００】
なお、ブックＢの販売（レンタル）に際しては、ショップ側に解除して取り外したストッパ部材６５及び取り外した介在部材Ｊを回収し、再使用する。
【０１０１】
なお、保持部材Ａを形成する側壁７、７の例えば底壁６側端や、介在部材Ｊの例えばストッパ部材６５側端を（勿論、反対側端の案内部材Ｃ側や抜止め部６１も同様に）ブックＢの背表紙４と、背表紙４の反対側縁との間の略中間部分に位置させて（図示省略）、使用する保持部材Ａや介在部材Ｊの厚みによるブックＢの厚みの背表紙４側が大きくなって、ブックＢの積み重ねた際の荷くずれを、ブックＢの各部の厚みの均一化により防止することもある。
【０１０２】
この発明の第３の実施形態では、図１８及び図１９に示すように、ブックＢの綴じ込み紙１間で、かつ背表紙４に沿って介在する介在部材Ｊの末端には、抜止め部６１が設けてあり、介在部材Ｊの先端（ブックＢにより被われない位置）に案内部材Ｃを設けると共に、この案内部材Ｃにより案内する備え部材Ｄには、ブックＢの背表紙４の表面側に位置するストッパ１７が設けてあり、備え部材Ｄと介在部材Ｊ側、図示の場合案内部材Ｃとには、備え部材Ｄのセットにともない案内部材Ｃに対する備え部材Ｄの離脱を防止するロック用の錠装置Ｅが設けてある。
【０１０３】
上記の介在部材Ｊ及び抜止め部６１は、第２の実施形態と同様につき、又案内部材Ｃ、備え部材Ｄ及びストッパ１７を有する錠装置Ｅは、第１の実施形態と同様につき構成並びに作用の説明を省略する。
【０１０４】
すると、ブックＢに装備することで第２の実施形態と同様の作用効果がある。
【０１０５】
なお、図１８、１９、２０、２１に示すように、第２の実施形態の抜止め部６１の両側縁にブックＢの抱き込み片７５を設け、又図２２から図２５に示すように、抜止め部６１の両側縁と案内部材Ｃ或いは備え部材Ｄの両側縁とにブックＢの抱き込み片７５を（図示の場合案内部材Ｃに設けたが、備え部材Ｄに設けることもある）設けておくと、ブックＢの表表紙２及び裏表紙３の両表面を、或いは綴じ込み紙１の全部又は一部を除いて抱き込むことができるので、ブックＢの捲り阻止にともない立ち読みを防止する以外に汚れや傷がつくのを防止すると共に、立ち読み防止にともない読みたいという意欲のため購買欲を高めることもできる。
【０１０６】
そして、ブックＢのカバー紙の抜け落ちも防止できる。
【０１０７】
又上記実施形態の介在部材ＪにタグＨを設けて、ショップからの持ち出しを検出する。
【０１０８】
上記のタグＨは、第１の実施形態と同様につき説明を省略する。
【０１０９】
この発明の第４の実施形態では、図２６、２７に示すように、周囲の一面に開口７６を有するケースＫを形成する。
【０１１０】
上記のケースＫは、上下で対向する頂壁９１及び底壁９２と、左右で対向する側壁９３と、開口７６に対向する後壁９４とで構成され、例えば合成樹脂製の成型品を用いる。
【０１１１】
なお、後壁９４は、図示の場合一部のみで他の部分で開放させてあるが限定されない。
【０１１２】
上記ケースＫには、開口７６からブックＢの綴り込み紙１のみを挿入して、側壁９３の外側に表表紙２及び裏表紙３を露出させる（図２７に示す）以外に、表表紙２及び裏表紙３の片方（図２６に示す）を露出させることもある。
【０１１３】
そして、ケースＫの頂壁９１の表面に第１の実施形態と同様の案内部材Ｃを設けて、この案内部材Ｃにより案内される備え部材Ｄを設けると共に、備え部材Ｄには、セットにともないブックＢの背表紙４の表面に位置するストッパ１７が設けてある。
【０１１４】
又備え部材ＤとケースＫ側（図示の場合案内部材Ｃ）には、ロックできて案内部材Ｃから備え部材Ｄの離脱を阻止するロック用の錠装置Ｅが設けてある。
【０１１５】
上記の案内部材Ｃ、備え部材Ｄ及び錠装置Ｅは、第１の実施例と同様につき構成並びに作用の説明を省略する。
【０１１６】
上記のように構成すると、陳列時のケースＫに対するブックＢの抜き取りは、ストッパ１７により開口７６から脱出する方向のスライドが止められ、ブックＢの後壁９４方向のスライドは、ブックＢの綴じ込み紙１の綴じ込み側と側壁９３の開口７６側縁との接触により阻止される。
【０１１７】
ケースＫにセットしたブックＢの立ち読みは、ケースＫに綴じ込み紙１を挿入してあるので、立ち読みが阻止され、阻止にともない購買欲が向上する。
【０１１８】
また、第１の実施形態と同様にブックＢの厚みに関係なくケースＫにブックＢをセットすることもできる。
【０１１９】
なお、保持部材Ａ、介在部材Ｊ及びケースＫを形成する合成樹脂成型品に透明な樹脂使用する必要がない。
【０１２０】
すると、再生合成樹脂の使用が可能になってコストを大幅に低減することができる。
【０１２１】
また、ケースＫ側や備え部材Ｄのいずれかに盗難防止タグＨを設けて、ショップからの持ち出しを検出する。
【０１２２】
上記の盗難防止タグＨは、第１の実施形態と同様につき説明を省略する。
【０１２３】
なお、第３の実施形態及び第４実施形態の陳列ブックＢの販売（レンタル）に際しては、第１の実施形態と同様に解除具を用いて錠装置Ｅの係止関係を解除上、ストッパ部材６５や備え部材Ｄを取り外し、次いで介在部材ＪやケースＫをショップに回収し、再使用する。
【０１２４】
すると、ブックの販売ができる。
【０１２５】
また、保持部材Ａの対向する頂壁５及び底壁６の両方又は片方の内面に綴じ込み紙１間に食い込む突出片９６を設けておく（図示の場合底壁６に設けたが、頂壁５のみ、或いは頂壁５と底壁６の両方に設けることもある）。
【０１２６】
すると、ストッパ１７と背表紙４との当接によりブックＢの一方向のスライドが止められ、ブックＢの他方向のスライドを、綴じ込み紙１間に存在する突出片９６と綴じ込み紙１の綴じ込み部分との当接により止められブックＢの抜き取りが阻止される。
【０１２７】
すなわち、突出片９６がない場合、図２８に示すように、ブックＢの保持部材Ａの両側間（側壁７の外側）に存在する表表紙２及び裏表紙３を図２８の矢符方向に反転し、次いで綴じ込み紙１をストッパ１７の反対方向に引っ張ると、図２９に示すように保持部材Ａに対しブックＢを抜き取ることができる。
【０１２８】
この要因は、ブックＢの厚みが保持部材Ａの両側間（側壁７、７間）の内寸よりも小さい場合に発生する。
【０１２９】
そこで突出片９６を設けることで、上述の問題をなくすることができる。
【０１３０】
この発明の第４の実施形態では、第１の実施形態の保持部材Ａの頂壁５及び底壁６の内面両方或いはいずれか片方に突出片９６を設けて（図３、図４、図１３に示すように）おく。
【０１３１】
勿論、保持部材Ａには、案内部材Ｃ、備え部材Ｄ、錠装置Ｅ、タグＨ及びストッパ１７が具備させてある。
【０１３２】
そして、図３０に示すように保持部材Ａ内に表表紙２及び裏表紙３と共に綴じ込み紙１の全部を挿入する。
【０１３３】
その際、綴じ込み紙１間に突出片９６を食い込ませておく。
【０１３４】
勿論、案内部材Ｃに対し錠装置Ｅを介しロックした備え部材Ｄのストッパ１７をブックＢの背表紙４の表面側に対向して（図５に示すように）位置させる。
【０１３５】
すると、陳列時の保持部材Ａに全てを貫通させたブックＢの抜き取りを、図３０、３１に示すようにストッパ１７と突出片９６の両方によって阻止すると共に、ブックの捲りを保持部材Ａにより阻止する。
【０１３６】
勿論、保持部材Ａに全部を貫通させたブックＢを捲ることができず、捲ることができないために第１の実施形態と同様の効果がある。
【０１３７】
第４実施形態の保持部材Ａ、案内部材Ｃ、備え部材Ｄ、錠装置Ｅ、ショップからの持ち出しを防止する盗難防止タグＨ、ストッパ１７の構成並びに作用効果は、第１の実施形態と同様につき説明を省略する。
【０１３８】
なお、前記突出片９６は、ストッパ１７に近い程ブックＢの移動が少なくなる。
【０１３９】
また、抱き込み片７５の突出長さは、適宜決定すればよい。
【０１４０】
この発明の第５の実施形態では、図１から図４に示すように筒状の保持部材ＡにブックＢの綴じ込み紙１のみ、或いは綴じ込み紙１と表表紙２、裏表紙３のいずれか片方を貫通させる。
【０１４１】
また、保持部材ＡのブックＢにより被われない位置に設けてある案内部材Ｃにより備え部材Ｄを案内してセットすると共に、セットにともない錠装置Ｅによるロックで案内部材Ｃに対し備え部材Ｄの離脱を阻止するようになっている。
【０１４２】
そして、備え部材Ｄには、セットにともないブックＢの背表紙４の表面に臨むストッパ１７が設けてある。
【０１４３】
上記の保持部材Ｂ、案内部材Ｃ、備え部材Ｄ、錠装置Ｅ及びストッパ１７の構成、そして錠装置Ｅの解除方式及び保持部材Ａに対するブックＢの抜き取り阻止の作用は、第１の実施形態と同様につき説明を省略する。
【０１４４】
すると、第１の実施形態と同様に陳列状況下での保持部材Ａに対するブックＢの抜き取りを阻止すると共に、保持部材Ａに貫通する綴り込み紙１の捲りが阻止されて、立ち読みができなくなる。
【０１４５】
なお、第５の実施形態の要因は、第１の実施形態に記載の盗難防止タグＨを設けないで、陳列時の立ち読みを防止することを目的とする。
【０１４６】
勿論、ブックＢの販売にともないショップに保持部材Ａを回収して再使用する。
【０１４７】
この発明の第６の実施形態では、図１５から図１７に示すように、ブックＢの綴じ込み紙１間で、かつ背表紙４に沿って介在する介在部材Ｊの末端には、抜止め部６１が、介在部材Ｊ又は抜止め部６１には、ブックＢの背表紙４の表面側に位置するストッパ６２が設けてあり、介在部材ＪのブックＢから突出する（先端側）突出部６４にストッパ部材６５を取付けると共に、取付け時に錠装置Ｅを介し突出部６４からストッパ部材６５が取り外せないようにしてある。
【０１４８】
上記介在部材Ｊ、抜止め部６１、ストッパ６２、ストッパ部材６５、突出部６４に対するストッパ部材６５の離脱を阻止する錠装置Ｅの構成、錠装置Ｅの解除方式及びブックＢに対する介在部材Ｊ取り外し阻止の作用は、第２の実施形態と同様につき説明を省略する。
【０１４９】
そして、図３２及び図３３に示すように、抜止め部６１及びストッパ部材６５の少なくとも片方の両側にブックＢの抱き込み片７５を設けておく。
【０１５０】
上記の抱き込み片７５は、図示の場合抜止め部６１にのみ設けたが、抜止め部６１とストッパ部材６５の両方或いはストッパ部材６５にのみ設けてもよい。
【０１５１】
すると、陳列状況下でのブックＢの捲りを抱き込み片７５により阻止して、立ち読みを防止する。
【０１５２】
上記抱き込み片７５の突出長さは、ブックＢの捲りを阻止するよう適宜決定すればよい。
【０１５３】
そして、抱き込み片７５による抱き込みも、表表紙２及び裏表紙３の両方或いは片方や、綴じ込み紙１のみ適宜決定すればよい。
【０１５４】
なお、第６の実施形態の要因は、第２の実施形態に記載の盗難防止タグＨを設けないで、陳列時の立ち読みを防止することを目的とする。
【０１５５】
勿論、ブックＢの販売にともない取り外した介在部材Ｊをショップに回収して再使用する。
【０１５６】
この発明の第７の実施形態では、図１８、１９に示すように、ブックＢの綴じ込み紙１間で、かつ背表紙４に沿って介在する介在部材Ｊの末端には、抜止め部６１が、介在部材Ｊの先端には、案内部材Ｃにより案内されてセットするストッパ１７を有する備え部材Ｄ及び案内部材Ｃから備え部材Ｄの離脱を阻止するロック用の錠装置Ｅが設けてある。
【０１５７】
上記の介在部材Ｊ及び抜止め部６１は、第２の実施形態と同様につき、又案内部材Ｃ、備え部材Ｄ、ストッパ１７、錠装置Ｅ及び錠装置Ｅの解除は、第１の実施形態と同様につき構成及びブックＢに対する介在部材Ｊの抜け止めは第２の実施形態と同様につき説明を省略する。
【０１５８】
そして、図３４、３５に示すように、抜止め部６１及び案内部材Ｃの少なくとも片方の両側にブックＢの抱き込み片７５を設けておく。
【０１５９】
上記の抱き込み片７５は、図示の場合抜止め部６１と案内部材Ｃの両方に設けたが、限定されず、いずれか片方にのみ設けてもよい。
【０１６０】
すると、陳列状況下での捲りを抱き込み片７５により阻止して、立ち読みを防止する。
【０１６１】
上記抱き込み片７５の突出長さは、ブックＢの捲りを阻止するよう適宜決定すればよい。
【０１６２】
そして、抱き込み片７５による抱き込みも、表表紙２、裏表紙３の両方或いは片方や、綴じ込み紙１のみ適宜決定する。
【０１６３】
なお、第７の実施形態の要因は、第３の実施形態に記載の盗難防止タグＨを設けないで、陳列時の立ち読みを防止することを目的とする。
【０１６４】
勿論、第６、第７の実施形態の抱き込み片７５によってブックＢのカバーを抱き込むこともできる。
【０１６５】
勿論、ブックＢの販売に際し取り外した介在部材Ｊをショップに回収して、再使用する。
【０１６６】
この発明の第８の実施形態では、第４の実施形態の周囲の一面に開口７６を有するケースＫを使用し、このケースＫに開口７６からブックＢの綴り込み紙１のみを挿入する。
【０１６７】
そして、ケースＫの案内部材Ｃにより案内して備え部材Ｄを装備すると共に、この備え部材Ｄのストッパ１７をブックＢの背表紙４の表面側に位置させ、備え部材Ｄは、錠装置Ｅにより案内部材Ｃにロックして離脱できないようになっている。
【０１６８】
上記のケースＫ、案内部材Ｃ、備え部材部材Ｄ及び錠装置Ｅの構成、作用効果、そして解除方式は、第１の実施形態と同様につき説明を省略する。
【０１６９】
すると、ケースＫにセットしたブックＢの立ち読みを阻止する。
【０１７０】
なお、第８の実施形態の要因は、第４の実施形態に記載の盗難防止タグＨを設けないで、陳列時の立ち読みを防止することを目的とする。
【０１７１】
また、保持部材Ａの対向する頂壁５及び底壁６の少なくとも片方の内面にブックＢの綴じ込み紙１間に食い込む突出片９６を設けて、ブックＢのストッパ１７の反対向の移動（スライド）を止めることもある。
【０１７２】
勿論、ブックＢの販売にともない取り外したケースＫをショップに回収して、再使用する。
【０１７３】
この発明の第９の実施形態では、図３０に示すように、第１の実施形態の保持部材ＡにブックＢの全部（表表紙２、綴じ込み紙１、裏表紙３の全て）を挿入する。
【０１７４】
その際、綴じ込み紙１間に保持部材Ａの内面（図示の場合、底壁６から突出させてあるが、頂壁５から突出させることもある）から突出する突出片９６を食い込ませておく。
【０１７５】
その後に、保持部材Ａの案内部材Ｃに備え部材Ｄをセットすると共に、錠装置Ｅにより案内部材Ｃに対し備え部材Ｄが外れないようにロックする。
【０１７６】
その際、ブックＢの背表紙４の表面にストッパ１７が位置して、保持部材Ａに対するブックＢの脱出をストッパ１７により阻止され、ストッパ１７の反対方向のブックＢの移動を突出片９６により阻止され、陳列時のブックＢの抜き取りが防止される。
【０１７７】
すると、陳列状況下でのブックＢの捲りを、保持部材Ａにより阻止され、立ち読みを防止する。
【０１７８】
上記保持部材Ａ、案内部材Ｃ、ストッパ１７を有する備え部材Ｄ、錠装置Ｅの構成並びに錠装置Ｅの解除方式、そして作用効果は、第１の実施形態と同様につき説明を省略する。
【０１７９】
なお、第９の実施形態の要因は、第４実施形態に記載の盗難防止タグＨを設けないで、陳列時の立ち読みを防止することを目的とする。
【０１８０】
勿論、ブックＢの販売にともないショップに回収した保持部材Ａは、再使用する。
【０１８１】
上記第５の実施形態から第９の実施形態の立ち読みを防止にともない、読みたいという意欲のため、購買欲が発生する。
【図面の簡単な説明】
【０１８２】
【図１】この発明の第１の実施形態を示す斜視図
【図２】保持部材にブックをセットした斜視図
【図３】同上の縦断背面図
【図４】同横断平面図
【図５】一部切欠側面図
【図６】ストッパの起立を示す一部切欠側面図
【図７】錠装置の解除を示す一部切欠側面図
【図８】備え部材の脱出を示す一部切欠側面図
【図９】他の錠装置を示す分解斜視図
【図１０】備え部材をセットした側面図
【図１１】同上の縦断背面図
【図１２】他の保持部材を示す斜視図
【図１３】同縦断背面図
【図１４】スペーサーの使用を示す縦断側面図
【図１５】第２の実施形態を示す分解斜視図
【図１６】同上の要部を示す一部切欠側面図
【図１７】同一部切欠正面図
【図１８】第３の実施形態を示す斜視図
【図１９】ブックをセットした一部切欠側面図
【図２０】他の例を示す分解斜視図
【図２１】同上の正面図
【図２２】他の例を示す斜視図
【図２３】同上の横断平面図
【図２４】同一部切欠側面図
【図２５】同縦断正面図
【図２６】第４の実施形態を示す一部切欠側面図
【図２７】同縦断背面図
【図２８】ブックの抜き取り作用平面図
【図２９】ブックの抜き取り作用平面図
【図３０】第４の実施形態の要部を示す横断平面図
【図３１】同上の縦断正面図
【図３２】第６の実施形態を示す斜視図
【図３３】同上の背面図
【図３４】第７の実施形態を示す一部切欠側面図
【図３５】同上の縦断背面図
【図３６】従来例を示す斜視図
【図３７】同斜視図
【符号の説明】
【０１８３】
Ａ        保持部材
Ｂ        ブック
Ｃ        案内部材
Ｄ        備え部材
Ｅ        錠装置
Ｇ、Ｇ′  解除具
Ｈ        タグ
Ｊ        介在部材
Ｋ        ケース
１        綴じ込み紙
２        表表紙
３        裏表紙
４        背表紙
５        頂壁
６        底壁
７        側壁
１２      挿入路
１３      挿入部材
１４      係止爪
１５      貫孔
１６      スリット
１７      ストッパ
１８      ピンヒンジ
２０      凹入部
２１      突起
２２      撮み
２３      スライダ
２４       突部
２５       突片
３１       ガイド
３２       ボックス
４０       ハーフカットヒンジ
５１       ヒンジ
５２       ガイド壁
５３       突出条
６１       抜止め部
６２       ストッパ
６３       テーパー部
６４       突出部
６５       ストッパ部材
６６       凹入部
６７       ピン
６８       係止爪
６９       バネ
７０       係止部
７１       鉄片
７５       抱き込み片
９１       頂壁
９２       底壁
９３       側壁
９４       後壁
９６       突出片
【図１】
2006323428.tif 000003
【図２】
2006323428.tif 000004
【図３】
2006323428.tif 000005
【図４】
2006323428.tif 000006
【図５】
2006323428.tif 000007
【図６】
2006323428.tif 000008
【図７】
2006323428.tif 000009
【図８】
2006323428.tif 000010
【図９】
2006323428.tif 000011
【図１０】
2006323428.tif 000012
【図１１】
2006323428.tif 000013
【図１２】
2006323428.tif 000014
【図１３】
2006323428.tif 000015
【図１４】
2006323428.tif 000016
【図１５】
2006323428.tif 000017
【図１６】
2006323428.tif 000018
【図１７】
2006323428.tif 000019
【図１８】
2006323428.tif 000020
【図１９】
2006323428.tif 000021
【図２０】
2006323428.tif 000022
【図２１】
2006323428.tif 000023
【図２２】
2006323428.tif 000024
【図２３】
2006323428.tif 000025
【図２４】
2006323428.tif 000026
【図２５】
2006323428.tif 000027
【図２６】
2006323428.tif 000028
【図２７】
2006323428.tif 000029
【図２８】
2006323428.tif 000030
【図２９】
2006323428.tif 000031
【図３０】
2006323428.tif 000032
【図３１】
2006323428.tif 000033
【図３２】
2006323428.tif 000034
【図３３】
2006323428.tif 000035
【図３４】
2006323428.tif 000036
【図３５】
2006323428.tif 000037
【図３６】
2006323428.tif 000038
【図３７】
2006323428.tif 000039
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
筒状の保持部材にブックの表裏紙側の少なくとも片方を除いて貫通させたのち、上記保持部材の露出表面の案内部材により案内させて備え部材を装備すると共に、この備え部材のストッパを上記ブックの背表紙の表面側に位置させ、上記保持部材側から上記備え部材が離脱しないように錠装置によりロックして、陳列時の上記保持部材に対するブックの抜き取りを上記ストッパにより阻止し、ショップからの持ち出しを上記保持部材側又は備え部材のいずれか片方に設けた盗難防止タグにより検出するようにしたことを特徴とする陳列ブックの盗難防止方法。
【請求項２】
ブックの綴じ込み紙及び表裏紙側の少なくとも片方を貫通させる筒状の保持部材と、この保持部材の上記ブックにより被われない露出表面に設けてある案内部材により案内される備え部材と、この備え部材に設けて上記ブックの背表紙の表面に位置するブックの脱出阻止ストッパと、上記保持部材側から上記備え部材の離脱を防止するように設けた錠装置と、上記保持部材側又は備え部材のいずれか片方に設けた盗難防止タグとからなる陳列ブックの盗難防止装置。
【請求項３】
ブックの綴じ込み紙間で、かつブックの背表紙に沿って介在部材を介在しながら、この介在部材の末端に設けてある抜け止め部を上記ブックに当接し、また上記介在部材の上記ブックから突出する先端の案内部材にストッパ用の備え部材を錠装置を介し取付けると共に、取付け状況下に上記抜止め部或いは備え部材の少なくとも片方のストッパを上記ブックの背表紙の表面側に位置させて、陳列時の介在部材に対するブックの抜き取りを、上記抜止め部、備え部材及びストッパにより阻止すると共に、ショップからの持ち出しを、上記介在部材側又は備え部材のいずれか片方に設けた盗難防止タグにより検出するようにしたことを特徴とする陳列ブックの盗難防止方法。
【請求項４】
ブックの綴じ込み紙間で、かつブックの背表紙に沿って介在する介在部材と、この介在部材の末端に設けた抜け止め部と、上記介在部材の上記ブックから突出する先端の案内部材に錠装置を介し取付けるストッパ用の備え部材と、この備え部材或いは上記抜け止め部の少なくとも片方に上記ブックの背表紙の表面に位置するように設けたストッパと、上記介在部材側又は備え部材のいずれか片方に設けた盗難防止タグとからなる陳列ブックの盗難防止装置。
【請求項５】
ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記介在部材側或いは備え部材のいずれか片方に設けた盗難防止タグとからなる陳列ブックの盗難防止装置。
【請求項６】
周囲の一面の開口からケース内にブックの表裏紙側の少なくとも片方を除いて挿入したのち、上記ケースの露出表面の案内部材により案内させて備え部材を装備すると共に、この備え部材のストッパを上記ブックの背表紙の表面側に位置させ、上記ケース側から上記備え部材が離脱しないように錠装置によりロックして、陳列時の上記ケースに対するブックの抜き取りを上記ストッパにより阻止し、ショップからの持ち出しを上記ケース側或いは備え部材のいずれか片方に設けた盗難防止タグにより検出するようにしたことを特徴とする陳列ブックの盗難防止方法。
【請求項７】
周囲の一面の開口からブックの綴じ込み紙のみ或いは表裏紙側の片方を挿入するケースと、このケースの上記ブックにより被われない露出表面に設けてある案内部材により案内される備え部材と、この備え部材に設けて上記ブックの背表紙の表面に位置するブックの脱出阻止ストッパと、上記ケース側から上記備え部材の離脱を防止するように設けた錠装置と、上記ケース側又は備え部材のいずれか片方に設けた盗難防止タグとからなる陳列ブックの盗難防止装置。
【請求項８】
前記保持部材の案内部材側や、前記案内部材に対向する側の内面の少なくとも片方から突出するブックの移動止め突出片を前記ブックの綴じ込み紙間に存在させたことを特徴とする請求項１に記載の陳列ブックの盗難防止方法。
【請求項９】
前記保持部材の案内部材側や前記案内部材に対向する側の内面の少なくとも片方にブックの綴じ込み紙間に食い込む突出片を設けた事を特徴とする請求項２に記載の陳列ブックの盗難防止装置。
【請求項１０】
前記介在部材の抜止め部や備え部材の少なくとも片方の両側にブックの抱き込み片を設けたことを特徴とする請求項４に記載の陳列ブック盗難防止装置。
【請求項１１】
前記介在部材の抜止め部、案内部材、備え部材のいずれかの両側にブックの抱き込み片を設けたことを特徴とする請求項５に記載の陳列ブックの盗難防止装置。
【請求項１２】
筒状の保持部材にブックを貫通させると共に、この貫通するブックの綴じ込み紙間に上記保持部材の内面から突出する突出片を食い込ませ、次いで上記保持部材の表面の案内部材により案内させて備え部材を装備すると共に、この備え部材のストッパを上記ブックの背表紙の表面側に位置させ、上記保持部材から上記備え部材が離脱しないように錠装置によりロックして、陳列時の上記保持部材に対するブックの抜き取りを上記ストッパ及び突出片により阻止し、ショップからの持ち出しを上記保持部材側或いは備え部材のいずれか片方に設けた盗難防止タグにより検出するようにしたことを特徴とする陳列ブックの盗難防止方法。
【請求項１３】
ブックを貫通させる筒状の保持部材と、この保持部の表面に設けてある案内部材により案内される備え部材と、この備え部材に設けてブックの背表紙の表面側に位置するストッパと、上記保持部材側から備え部材の離脱を防止するように設けた錠装置と、上記保持部材の内面から突出させて上記ブックの綴じ込み紙間に食い込ませるように設けた突出片と、上記保持部材側又は備え部材のいずれか片方に設けた盗難防止タグとからなる陳列ブックの盗難防止装置。
【請求項１４】
筒状の保持部材にブックの表裏紙側の少なくとも片方を除いて貫通させたのち、上記保持部材の露出表面の案内部材により案内させて備え部材を装備すると共に、この備え部材のストッパを上記ブックの背表紙の表面側に位置させ、上記保持部材側から上記備え部材が離脱しないように錠装置によりロックして、陳列時の上記保持部材に対するブックの抜き取りを上記ストッパにより阻止するようにしたことを特徴とする陳列ブックの立ち読み防止方法。
【請求項１５】
ブックの綴じ込み紙及び表裏紙側の少なくとも片方を貫通させる筒状の保持部材と、この保持部材の上記ブックにより被われない露出表面に設けてある案内部材により案内される備え部材と、この備え部材に設けて上記ブックの背表紙の表面に位置するブックの脱出阻止ストッパと、上記保持部材側から上記備え部材の離脱を防止するように設けた錠装置とからなる陳列ブックの立ち読み防止装置。
【請求項１６】
ブックの綴じ込み紙間で、かつブックの背表紙に沿って介在部材を介在しながら、この介在部材の末端に設けてある抜け止め部を上記ブックに当接し、また上記介在部材の上記ブックから突出する先端の案内部材にストッパ用の備え部材を錠装置を介し取付けると共に、取付け状況下に上記抜止め部或いは備え部材の少なくとも片方のストッパを上記ブックの背表紙の表面側に位置させて、陳列時の介在部材に対するブックの抜き取りを、上記抜止め部、備え部材及びストッパにより阻止すると共に、上記抜止め部や備え部材の少なくとも片方の両側に設けてある抱き込み片により上記ブックを抱き込んでブックの捲りを阻止するようにしたことを特徴とする陳列ブックの立ち読み防止方法。
【請求項１７】
ブックの綴じ込み紙間で、かつブックの背表紙に沿って介在する介在部材と、この介在部材の末端に設けた抜け止め部と、上記介在部材の上記ブックから突出する案内部材に錠装置を介し取付けるストッパ用の備え部材と、この備え部材或いは上記抜け止め部の少なくとも片方に上記ブックの背表紙の表面に位置するように設けたストッパと、上記抜止め部や備え部材の少なくとも片方の両側に設けたブックの捲り防止の抱き込み片とからなる陳列ブックの立ち読み防止装置。
【請求項１８】
ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記抜止め部や備え部材の少なくとも片方の両側に設けたブックの抱き込み片とからなる陳列ブックの立ち読み防止装置。
【請求項１９】
周囲の一面の開口からケース内にブックの表裏紙側の少なくとも片方を除いて挿入したのち、上記ケースの露出表面の案内部材により案内させて備え部材を装備すると共に、この備え部材のストッパを上記ブックの背表紙の表面側に位置させ、上記ケース側から上記備え部材が離脱しないように錠装置によりロックして、陳列時の上記ケースに対するブックの抜き取りを上記ストッパにより阻止するようにしたことを特徴とする陳列ブックの立ち読み防止方法。
【請求項２０】
周囲の一面の開口からブックの綴じ込み紙のみ或いは表裏紙側の片方を挿入するケースと、このケースの上記ブックにより被われない露出表面に設けてある案内部材により案内される備え部材と、この備え部材に設けて上記ブックの背表紙の表面に位置するブックの脱出阻止ストッパと、上記ケース側から上記備え部材の離脱を防止するように設けた錠装置とからなる陳列ブックの立ち読み防止装置。
【請求項２１】
前記保持部材の案内部材側や、前記案内部材に対向する側の内面の少なくとも片方から突出するブックの移動止め突出片を前記ブックの綴じ込み紙間に存在させたことを特徴とする請求項１４に記載の陳列ブックの立ち読み防止方法。
【請求項２２】
前記保持部材の案内部材側や前記案内部材に対向する側の内面の少なくとも片方にブックの綴じ込み紙間に食い込む突出片を設けた事を特徴とする請求項１５に記載の陳列ブックの立ち読み防止装置。
【請求項２３】
筒状の保持部材にブックを貫通させると共に、この貫通するブックの綴じ込み紙間に上記保持部材の内面から突出する突出片を食い込ませ、次いで上記保持部材の表面の案内部材により案内させて備え部材を装備すると共に、この備え部材のストッパを上記ブックの背表紙の表面側に位置させ、上記保持部材から上記備え部材が離脱しないように錠装置によりロックして、陳列時の上記保持部材に対するブックの抜き取りを上記ストッパ及び突出片により阻止するようにしたことを特徴とする陳列ブックの立ち読み防止方法。
【請求項２４】
ブックを貫通させる筒状の保持部材と、この保持部の表面に設けてある案内部材により案内される備え部材と、この備え部材に設けてブックの背表紙の表面側に位置するストッパと、上記保持部材側から備え部材の離脱を防止するように設けた錠装置と、上記保持部材の内面から突出させて上記ブックの綴じ込み紙間に食い込ませるように設けた突出片とからなる陳列ブックの立ち読み防止装置。
【手続補正２】
【補正対象書類名】明細書
【補正対象項目名】００１５
【補正方法】変更
【補正の内容】
【００１５】
また、ブックの綴じ込み紙間で、かつブックの背表紙に沿って介在部材を介在しながら、この介在部材の末端に設けてある抜け止め部を上記ブックに当接し、また上記介在部材の上記ブックから突出する先端の案内部材にストッパ用の備え部材を錠装置を介し取付けると共に、取付け状況下に上記抜止め部或いは備え部材の少なくとも片方のストッパを上記ブックの背表紙の表面側に位置させて、陳列時の介在部材に対するブックの抜き取りを、上記抜止め部、備え部材及びストッパにより阻止すると共に、ショップからの持ち出しを、上記介在部材側又は備え部材のいずれか片方に設けた盗難防止タグにより検出するようにしたことを特徴とする陳列ブックの盗難防止方法やブックの綴じ込み紙間で、かつブックの背表紙に沿って介在する介在部材と、この介在部材の末端に設けた抜け止め部と、上記介在部材の上記ブックから突出する先端の案内部材に錠装置を介し取付ける備え部材と、この備え部材或いは上記抜け止め部の少なくとも片方に上記ブックの背表紙の表面に位置するように設けたストッパと、上記介在部材側又は備え部材のいずれか片方に設けた盗難防止タグとからなる陳列ブックの盗難防止装置、又ブックの綴じ込み紙間で、かつブックの背表紙に沿って介在する介在部材と、この介在部材の末端に設けた抜け止め部と、上記介在部材の先端にブックにより被われないように設けた案内部材と、この案内部材により案内される備え部材と、この備え部材に設けて上記ブックの背表紙の表面側に位置するストッパと、上記案内部材から備え部材の離脱を防止するように設けた錠装置と、上記介在部材側或いは備え部材のいずれか片方に設けた盗難防止タグとからなる陳列ブックの盗難防止装置を採用する。
【手続補正３】
【補正対象書類名】明細書
【補正対象項目名】００１６
【補正方法】変更
【補正の内容】
【００１６】
すると、陳列状況下でのブックの抜き取りをストッパと綴じ込み紙間の介在部材によって（介在部材の背表紙に沿う方向の抜き取りも、抜止め部と備え部材により阻止される）阻止し、またショップ外への無断な持ち出しを盗難防止タグによって検出する。
【手続補正４】
【補正対象書類名】明細書
【補正対象項目名】００２４
【補正方法】変更
【補正の内容】
【００２４】
また、ブックの綴じ込み紙間で、かつブックの背表紙に沿って介在部材を介在しながら、この介在部材の末端に設けてある抜け止め部を上記ブックに当接し、また上記介在部材の上記ブックから突出する先端の案内部材にストッパ用の備え部材を錠装置を介し取付けると共に、取付け状況下に上記抜止め部或いは備え部材の少なくとも片方のストッパを上記ブックの背表紙の表面側に位置させて、陳列時の介在部材に対するブックの抜き取りを、上記抜止め部、備え部材及びストッパにより阻止すると共に、上記抜止め部や備え部材の少なくとも片方の両側に設けてある抱き込み片により上記ブックを抱き込んでブックの捲りを阻止するようにした陳列ブックの立ち読み防止方法やブックの綴じ込み紙間で、かつブックの背表紙に沿って介在する介在部材と、この介在部材の末端に設けた抜け止め部と、上記介在部材の上記ブックから突出する先端の案内部材に錠装置を介し取付ける備え部材と、この備え部材或いは上記抜け止め部の少なくとも片方に上記ブックの背表紙の表面に位置するように設けたストッパと、上記抜止め部や備え部材の少なくとも片方の両側に設けたブックの捲り防止の抱き込み片とからなる陳列ブックの立ち読み防止装置を採用する。
【手続補正５】
【補正対象書類名】明細書
【補正対象項目名】００２９
【補正方法】変更
【補正の内容】
【００２９】
以上のように、この発明の陳列ブックの盗難防止方法及びその装置によれば、陳列状況下での保持部材やケースに対するブックの抜き取りを、ブックの背表紙の表面に位置するストッパとブックの綴じ込み紙と少なくとも片方の表裏紙側間に位置する保持部材やケースの側壁とによって阻止すると共に、ショップ外への持ち出しを盗難防止タグによって検出するようにしてあるので、ブックの盗難を防止し、又保持部材やケースにブックの綴じ込み紙や表裏紙の少なくとも片方を貫通或いは挿入するため、ブックの厚みに制約を受けることなく、すなわち、厚みが大きくなると、表裏紙の少なく片方に保持部材やケース外に綴じ込み紙を存在させることで、保持部材やケースに対しブックをセットすることができ、更に保持部材にあっては、表裏紙の少なくとも片方と綴じ込み紙とを貫通させてセットできるので、ブックの幅寸法に制約を受けないなどの多大な効果がある。
【手続補正６】
【補正対象書類名】明細書
【補正対象項目名】００３３
【補正方法】変更
【補正の内容】
【００３３】
また、ブックの綴じ込み紙間に介在させる介在部材を、ブックの背表紙の表面に位置するストッパと、介在部材の末端の抜止め部及び介在部材の先端突出部に錠装置を介し取付けた備え部材により、又案内部材によって案内されるストッパを有する備え部材を取付けると共に、錠装置により案内部材に対し備え部材をロックすることでブックからの介在部材の取り外しが阻止できてブックの盗難、すなわち、ショップ外への持ち出しを検出して盗難防止に効果を発揮する。
【手続補正７】
【補正対象書類名】明細書
【補正対象項目名】００３８
【補正方法】変更
【補正の内容】
【００３８】
また、保持部材にブックの表裏紙の少なくとも片方を除いて貫通すると共に、貫通したブックの背表紙の表面に案内部材に錠装置を介し取付けた備え部材のストッパを位置させることで、保持部材に対するブックの抜き取りを阻止した陳列状況下での綴じ込み紙の捲り防止し、又ブックの綴じ込み紙間に介在した介在部材を、抜け止め部とストッパ部材や備え部材によって背表紙に沿う方向の脱出を防止すると共に、備え部材や備え部材のストッパをブックの背面側に位置させて、介在部材に対する介在部材の離脱を防止し、かつ抱き込み片によってブックを抱き込むことで、陳列状況下でのブックの捲りを防止する。
【手続補正８】
【補正対象書類名】明細書
【補正対象項目名】００４５
【補正方法】変更
【補正の内容】
【００４５】
なお、側壁７の不要部分を欠落させて、保持部材Ａを成形する合成樹脂の材料を節約することもある。
【手続補正９】
【補正対象書類名】明細書
【補正対象項目名】００７５
【補正方法】変更
【補正の内容】
【００７５】
また、保持部材Ａの丈がブックＢの丈よりも大きい場合に間隙により発生する保持部材Ａ内でのブックＢの移動（傾動）による不都合を、図１４に示すように、保持部材Ａの頂壁５、底壁６少なくとも片方の裏面にスペーサ５５を介在して、不都合を解消する。すなわち、丈の小さいブックも使用できる。
【手続補正１０】
【補正対象書類名】明細書
【補正対象項目名】００８４
【補正方法】変更
【補正の内容】
【００８４】
上記の介在部材Ｊは、図示の場合、合成樹脂製の板材（図示のように細幅な板材を使用して材料の節約をはかる）で、抜止め部６１は、介在部材Ｊの板材と一体に成形された片材で、ストッパ６２は、図示の場合抜止め部６１と一体にＬ形に成形したが、介在部材Ｊの板材の端から連なって設けてもよい。勿論、ストッパ６２を、板止め部６１に設けないで、備え部材６５に設けてもよい。
【手続補正１１】
【補正対象書類名】明細書
【補正対象項目名】００８６
【補正方法】変更
【補正の内容】
【００８６】
また、介在部材ＪのブックＢから突出する（綴じ込み紙１に介在部材Ｊを介在した際の）案内部材６４にストッパ用の備え部材６５を取付けると共に、この取付け時に錠装置Ｅを介し案内部材６４から備え部材６５が取り外せないようにしてある。
【手続補正１２】
【補正対象書類名】明細書
【補正対象項目名】００８７
【補正方法】変更
【補正の内容】
【００８７】
上記案内部材６４に対する備え部材６５の取付けは、図示の場合ブロック状の備え部材６５の一面から内方に向く凹入部６６に案内部材６４を嵌入して取付け、取付けにともなう取り外し防止の錠装置Ｅは、図示の場合、凹入部６６内に取付けピン６７を介し係止爪６８を揺動自在に取付けると共に、バネ６９を介し係止爪６８に復帰力を付与し、凹入部６６に案内部材６４を嵌入すると、案内部材６４によって係止爪６８を復帰力に抗して押し戻し、案内部材６４の嵌入終了にともない案内部材６４の孔や貫孔などの係止部７０と係止爪６８との合致にともないバネ６９による復帰力によって係止部７０に係止爪６８が自動的に係止関係になるように構成したが、限定されず、第１の実施形態の錠装置Ｅや記載の公知錠方式を採用してもよい。
【手続補正１３】
【補正対象書類名】明細書
【補正対象項目名】００８８
【補正方法】変更
【補正の内容】
【００８８】
要するに、案内部材６４に備え部材６５を取付けることで、錠装置Ｅによって案内部材６４に対し備え部材６５をショップ以外によって取り外しができないようになっている。
【手続補正１４】
【補正対象書類名】明細書
【補正対象項目名】００９１
【補正方法】変更
【補正の内容】
【００９１】
また、介在部材Ｊ側、例えば介在部材Ｊや抜止め部６１、備え部材６５のいずれかには、盗難防止タグＨが設けてある。
【手続補正１５】
【補正対象書類名】明細書
【補正対象項目名】００９５
【補正方法】変更
【補正の内容】
【００９５】
まず、ブックＢの綴じ込み紙１間に介在部材Ｊを介在したのち、案内部材６４に備え部材６５を取付けると共に、錠装置Ｅによって案内部材６４から備え部材６５が取り外せないようにしておく。
【手続補正１６】
【補正対象書類名】明細書
【補正対象項目名】００９７
【補正方法】変更
【補正の内容】
【００９７】
すると、ブックＢに対する背表紙４の反対方向に介在部材Ｊをスライドさせようとしても、背表紙４に当るストッパ６２により阻止され、また背表紙４の方向に介在部材Ｊをスライドさせようとしても、綴じ込み紙１の綴り部分と介在部材Ｊの背表紙４側の縁と接触により阻止され、さらに背表紙４に沿う方向の介在部材Ｊの抜き取りは、抜止め部６１と備え部材６５とによって阻止する。
【手続補正１７】
【補正対象書類名】明細書
【補正対象項目名】００９９
【補正方法】変更
【補正の内容】
【００９９】
そして、ブックＢがフィルムで包装されている場合、介在部材Ｊの挿入方向、例えば図１６に示すように、案内部材６４によりフィルムを突き破って綴じ込み紙１間に介在部材Ｊを介在する。
【手続補正１８】
【補正対象書類名】明細書
【補正対象項目名】０１２７
【補正方法】変更
【補正の内容】
【０１２７】
すなわち、ストッパ１７及び突出片９６がない場合、図２８に示すように、ブックＢの保持部材Ａの両側間（側壁７の外側）に存在する表表紙２及び裏表紙３を図２８の矢符方向に反転し、次いで綴じ込み紙１をストッパ１７の反対方向に引っ張ると、図２９に示すように保持部材Ａに対しブックＢを抜き取ることができる。
【手続補正１９】
【補正対象書類名】明細書
【補正対象項目名】０１４７
【補正方法】変更
【補正の内容】
【０１４７】
この発明の第６の実施形態では、図１５から図１７に示すように、ブックＢの綴じ込み紙１間で、かつ背表紙４に沿って介在する介在部材Ｊの末端には、抜止め部６１が、介在部材Ｊ又は抜止め部６１には、ブックＢの背表紙４の表面側に位置するストッパ６２が設けてあり、介在部材ＪのブックＢから突出する（先端側）案内部材６４に備え部材６５を取付けると共に、取付け時に錠装置Ｅを介し案内部材６４から備え部材６５が取り外せないようにしてある。
【手続補正２０】
【補正対象書類名】明細書
【補正対象項目名】０１４８
【補正方法】変更
【補正の内容】
【０１４８】
上記介在部材Ｊ、抜止め部６１、ストッパ６２、備え部材６５、案内部材６４に対するストッパ部材６５の離脱を阻止する錠装置Ｅの構成、錠装置Ｅの解除方式及びブックＢに対する介在部材Ｊ取り外し阻止の作用は、第２の実施形態と同様につき説明を省略する。
【手続補正２１】
【補正対象書類名】明細書
【補正対象項目名】０１５０
【補正方法】変更
【補正の内容】
【０１５０】
上記の抱き込み片７５は、図示の場合抜止め部６１にのみ設けたが、抜止め部６１と備え部材６５の両方或いはストッパ部材６５にのみ設けてもよい。
【手続補正２２】
【補正対象書類名】明細書
【補正対象項目名】０１６６
【補正方法】変更
【補正の内容】
【０１６６】
この発明の第８の実施形態では、第４の実施形態の周囲の一面に開口７６を有するケースＫを使用し、このケースＫに開口７６からブックＢの綴じ込み紙１のみを挿入する。
【手続補正２３】
【補正対象書類名】明細書
【補正対象項目名】０１８３
【補正方法】変更
【補正の内容】
【０１８３】
Ａ        保持部材
Ｂ        ブック
Ｃ        案内部材
Ｄ        備え部材
Ｅ        錠装置
Ｇ、Ｇ′  解除具
Ｈ        タグ
Ｊ        介在部材
Ｋ        ケース
１        綴じ込み紙
２        表表紙
３        裏表紙
４        背表紙
５        頂壁
６        底壁
７        側壁
１２      挿入路
１３      挿入部材
１４      係止爪
１５      貫孔
１６      スリット
１７      ストッパ
１８      ピンヒンジ
２０      凹入部
２１      突起
２２      撮み
２３      スライダ
２４      突部
２５      突片
３１      ガイド
３２      ボックス
４０       ハーフカットヒンジ
５１       ヒンジ
５２       ガイド壁
５３       突出条
６１       抜止め部
６２       ストッパ
６３       テーパー部
６４       案内部材
６５       備え部材
６６       凹入部
６７       ピン
６８       係止爪
６９       バネ
７０       係止部
７１       鉄片
７５       抱き込み片
９１       頂壁
９２       底壁
９３       側壁
９４       後壁
９６       突出片